(57)【要約】  通常時には内視鏡用フードを自然な状態で保持することが可能であり、かつ十分に小さい径を有する内視鏡先端部に対しても内視鏡用フードを良好に取り付けることができるフード取付治具を提供すること。内視鏡１に内視鏡用フード１０を取り付けるフード取付治具２０において、自身が内視鏡用フード１０の内部に挿入した状態で内視鏡用フード１０を保持する拡径自在な保持部材２３と、拡径操作された場合に保持部材２３の内部に進入して保持部材２３を拡径させることにより、内視鏡用フード１０を拡径させる拡径部材２４と、取付操作された場合に保持部材２３及び内視鏡１を押し出して拡径部材２４から離反させることにより、内視鏡用フード１０を内視鏡先端部２の外周面に接触させ、更に前記内視鏡１を押し出して保持部材２３から離脱させることにより内視鏡先端部２に内視鏡用フード１０を取り付ける位置決め部材２６とを備えている。
2010070984.tif 000002
【特許請求の範囲】
【請求項１】
内視鏡先端部の外周面を覆う態様で該内視鏡に略筒状の内視鏡用フードを取り付けるフード取付治具において、
自身が前記内視鏡用フードの内部に挿入した状態で該内視鏡用フードを保持する拡径自在な保持部材と、
拡径操作された場合に前記保持部材の内部に進入して該保持部材を拡径させることにより、前記内視鏡用フードを拡径させる拡径部材と、
拡径された前記保持部材の内部に前記内視鏡先端部が進入した状態で取付操作された場合に前記保持部材及び前記内視鏡を押し出して前記拡径部材から離反させることにより、自身の復元力により前記保持部材を縮径させた前記内視鏡用フードを前記内視鏡先端部の外周面に接触させ、更に前記内視鏡を押し出して前記保持部材から離脱させることにより前記内視鏡先端部に前記内視鏡用フードを取り付ける押出部材と
を備えたことを特徴とするフード取付治具。
【請求項２】
前記押出部材は、拡径された保持部材の内部に進入した前記内視鏡先端部と当接し、かつ前記保持部材に保持される内視鏡用フードが前記内視鏡先端部に取り付けられた場合の該内視鏡先端部からの突出量を規定する位置決め端部を備えたことを特徴とする請求項１に記載のフード取付治具。
【請求項３】
前記押出部材に押し出される前記保持部材の移動量を規制する規制部材を備えたことを特徴とする請求項１に記載のフード取付治具。
【請求項４】
自身に形成された孔部に前記内視鏡を通過させて、該内視鏡先端部を拡径された前記保持部材の内部に案内するガイド部材を備えたことを特徴とする請求項１に記載のフード取付治具。
【請求項５】
前記ガイド部材が弾性材料から構成されており、前記孔部が前記内視鏡先端部よりも小径であることを特徴とする請求項４に記載のフード取付治具。
【発明の詳細な説明】
【技術分野】
【０００１】
本発明は、フード取付治具に関し、より詳細には、内視鏡先端部の外周面を覆う態様で該内視鏡に略筒状の内視鏡用フードを取り付けるフード取付治具に関するものである。
【背景技術】
【０００２】
従来、内視鏡先端部の外周面を覆う態様で該内視鏡に略筒状の内視鏡用フードを取り付けるフード取付治具として、次のようなものが知られている。例えば、内視鏡用フードの基端縁部に接続部材を介して連設され、かつ該基端縁部の外周面より外側に延出する把持部を有したものである。つまり、内視鏡用フードと一体的に構成されたものである。【０００３】
このようなフード取付治具は、把持部が指で摘まれると、内視鏡用フードの基端縁部が外側にめくり上げられ、これにより内視鏡用フードの基端部を拡径させる。基端部を拡径させた状態でその内部に内視鏡先端部を相対的に進入させ、その後に把持部が開放されてフリーな状態になることにより基端部を縮径させ、これにより内視鏡用フードを内視鏡先端部に取り付けることができる。内視鏡先端部に取り付けた後、予め形成してある脆弱部位が破断されることにより、フード取付治具は内視鏡用フードから離脱される（例えば、特許文献１参照）。
【先行技術文献】
【特許文献】
【０００４】
【特許文献１】特開２００４−２９８４４２号公報
【発明の概要】
【発明が解決しようとする課題】
【０００５】
ところで、近年、生体の咽喉を観察するための細径（例えば外径が５ｍｍ程度）の内視鏡が知られている。このような細径の内視鏡にも内視鏡用フードを取り付ける必要があり、かかる内視鏡に取り付けられる内視鏡用フードは、全体的に小型なものであり、かつ肉薄なものとなる。そのような内視鏡用フードに対して、上述した特許文献１に提案されているようなフード取付治具を一体的に構成させることは困難であり、内視鏡用フードの取付時に指で摘む行為自体が困難である。【０００６】
また、そのような細径の内視鏡の先端部に内視鏡用フードを取り付けるためには、内視鏡先端部よりも小径な内視鏡用フードを一端拡径させる必要があるが、通常時においては内視鏡用フードを自然な状態で保持しておくことが好ましい。【０００７】
本発明は、上記実情に鑑みて、通常時には内視鏡用フードを自然な状態で保持することが可能であり、かつ十分に小さい径を有する内視鏡先端部に対しても内視鏡用フードを良好に取り付けることができるフード取付治具を提供することを目的とする。
【課題を解決するための手段】
【０００８】
上記目的を達成するために、本発明の請求項１に係るフード取付治具は、内視鏡先端部の外周面を覆う態様で該内視鏡に略筒状の内視鏡用フードを取り付けるフード取付治具において、自身が前記内視鏡用フードの内部に挿入した状態で該内視鏡用フードを保持する拡径自在な保持部材と、拡径操作された場合に前記保持部材の内部に進入して該保持部材を拡径させることにより、前記内視鏡用フードを拡径させる拡径部材と、拡径された前記保持部材の内部に前記内視鏡先端部が進入した状態で取付操作された場合に前記保持部材及び前記内視鏡を押し出して前記拡径部材から離反させることにより、自身の復元力により前記保持部材を縮径させた前記内視鏡用フードを前記内視鏡先端部の外周面に接触させ、更に前記内視鏡を押し出して前記保持部材から離脱させることにより前記内視鏡先端部に前記内視鏡用フードを取り付ける押出部材とを備えたことを特徴とする。【０００９】
また、本発明の請求項２に係るフード取付治具は、上述した請求項１において、前記押出部材は、拡径された保持部材の内部に進入した前記内視鏡先端部と当接し、かつ前記保持部材に保持される内視鏡用フードが前記内視鏡先端部に取り付けられた場合の該内視鏡先端部からの突出量を規定する位置決め端部を備えたことを特徴とする。【００１０】
また、本発明の請求項３に係るフード取付治具は、上述した請求項１において、前記押出部材に押し出される前記保持部材の移動量を規制する規制部材を備えたことを特徴とする。【００１１】
また、本発明の請求項４に係るフード取付治具は、上述した請求項１において、自身に形成された孔部に前記内視鏡を通過させて、該内視鏡先端部を拡径された前記保持部材の内部に案内するガイド部材を備えたことを特徴とする。【００１２】
また、本発明の請求項５に係るフード取付治具は、上述した請求項４において、前記ガイド部材が弾性材料から構成されており、前記孔部が前記内視鏡先端部よりも小径であることを特徴とする。
【発明の効果】
【００１３】
本発明のフード取付治具によれば、拡径自在な保持部材が内視鏡用フードの内部に挿入した状態で該内視鏡用フードを保持し、拡径部材が、拡径操作された場合に保持部材の内部に進入して該保持部材を拡径させることにより、内視鏡用フードを拡径させ、押出部材が、拡径された保持部材の内部に内視鏡先端部が進入した状態で取付操作された場合に保持部材及び内視鏡を押し出して拡径部材から離反させることにより、自身の復元力により保持部材を縮径させた内視鏡用フードを内視鏡先端部の外周面に接触させ、更に内視鏡を押し出して保持部材から離脱させることにより内視鏡先端部に内視鏡用フードを取り付けるので、通常時においては内視鏡用フードを自然な状態で保持しておくことが可能である。しかも取付時に内視鏡用フードを拡径させてその内部に内視鏡先端部を相対的に挿入させ、その後自身の復元力により内視鏡用フードを縮径させて内視鏡先端部に取り付けることができる。従って、通常時には内視鏡用フードを自然な状態で保持することが可能であり、かつ十分に小さい径を有する内視鏡先端部に対しても内視鏡用フードを良好に取り付けることができるという効果を奏する。
【図面の簡単な説明】
【００１４】
【図１】図１は、本発明の実施の形態であるフード取付治具により内視鏡先端部に取り付けられる内視鏡用フードを示す斜視図である。
【図２】図２は、図１に示した内視鏡用フードを略側方から見た場合を示す図である。
【図３】図３は、図１に示した内視鏡用フードが内視鏡の先端部に装着される場合を示す説明図である。
【図４】図４は、図１に示した内視鏡用フードが内視鏡の先端部に装着された場合を示す断面側面図である。
【図５】図５は、本発明の実施の形態であるフード取付治具を示す斜視図である。
【図６】図６は、本発明の実施の形態であるフード取付治具を示すものであり、（ａ）は正面図、（ｂ）は（ａ）の側面図、（ｃ）は（ｂ）のＡ−Ａ線断面図、（ｄ）は（ａ）のＢ−Ｂ線断面図、（ｅ）は（ａ）のＣ−Ｃ線断面図である。
【図７】図７は、図５に示したフード取付治具を構成する操作部材が拡径操作された場合を示す斜視図である。
【図８】図８は、図５に示した操作部材が拡径操作された場合を示すフード取付治具を示すものであり、（ａ）は正面図、（ｂ）は（ａ）の側面図、（ｃ）は（ｂ）のＤ−Ｄ線断面図、（ｄ）は（ａ）のＥ−Ｅ線断面図、（ｅ）は（ａ）のＦ−Ｆ線断面図である。
【図９】図９は、図５に示したフード取付治具に取付対象である内視鏡が近接する状態を示すものであり、（ａ）は正面図、（ｂ）は（ａ）の側面図、（ｃ）は（ａ）のＧ−Ｇ線断面図、（ｄ）は（ａ）のＨ−Ｈ線断面図である。
【図１０】図１０は、図５に示したフード取付治具に取付対象である内視鏡が近接する状態を示すものであり、（ａ）は正面図、（ｂ）は（ａ）の側面図、（ｃ）は（ａ）のＩ−Ｉ線断面図、（ｄ）は（ａ）のＪ−Ｊ線断面図である。
【図１１】図１１は、拡径された保持部材の内部に内視鏡が進入した状態を示すものであり、（ａ）は正面図、（ｂ）は（ａ）の側面図、（ｃ）は（ａ）のＫ−Ｋ線断面図、（ｄ）は（ａ）のＬ−Ｌ線断面図である。
【図１２】図１２は、拡径された保持部材の内部に内視鏡が進入した状態を示すものであり、（ａ）は正面図、（ｂ）は（ａ）の側面図、（ｃ）は（ａ）のＭ−Ｍ線断面図、（ｄ）は（ａ）のＮ−Ｎ線断面図である。
【図１３】図１３は、操作部材が取付操作された場合を示すフード取付治具を示すものであり、（ａ）は正面図、（ｂ）は（ａ）の側面図、（ｃ）は（ａ）のＯ−Ｏ線断面図、（ｄ）は（ａ）のＰ−Ｐ線断面図である。
【図１４】図１４は、位置決め部材が保持部材及び内視鏡を押し出した状態を示すものであり、（ａ）は正面図、（ｂ）は（ａ）の側面図、（ｃ）は（ａ）のＱ−Ｑ線断面図、（ｄ）は（ａ）のＲ−Ｒ線断面図である。
【図１５】図１５は、位置決め部材が内視鏡を押し出した状態を示すものであり、（ａ）は正面図、（ｂ）は（ａ）の側面図、（ｃ）は（ａ）のＳ−Ｓ線断面図、（ｄ）は（ａ）のＴ−Ｔ線断面図である。
【図１６】図１６は、内視鏡用フードを取り付けた内視鏡からフード取付治具を離反させる状態を示すものであり、（ａ）は正面図、（ｂ）は（ａ）の側面図、（ｃ）は（ａ）のＵ−Ｕ線断面図、（ｄ）は（ａ）のＶ−Ｖ線断面図である。
【発明を実施するための形態】
【００１５】
以下に添付図面を参照して、本発明に係るフード取付治具の好適な実施の形態について詳細に説明する。前提として本発明の実施の形態であるフード取付治具により内視鏡先端部に取り付けられる内視鏡用フードについて説明する。
【００１６】
図１〜図４は、それぞれ本発明の実施の形態であるフード取付治具により内視鏡先端部に取り付けられる内視鏡用フードを示すものであり、図１は斜視図、図２は、図１に示した内視鏡用フードを略側方から見た場合を示す図であり、図３は、内視鏡の先端部に装着される場合を示すものであり、図４は、内視鏡の先端部に装着された場合を示す断面側面図である。ここで例示する内視鏡用フード１０は、内視鏡１の先端部２に装着するものであり、固定部１１、突出部１２及び把持部１３を備えて構成してある。
【００１７】
固定部１１は、円筒状を成すものであり、図４に示すように内視鏡用フード１０が内視鏡１の先端部２に装着された場合に、内視鏡１の先端部２の外周面を覆う態様で圧着固定されるものである。
【００１８】
突出部１２は、固定部１１の先端に連続して形成された略円筒状を成すものである。この突出部１２においては、固定部１１と近接する部位１２１が固定部１１から離隔するに連れて、すなわち該突出部１２の先端に向けて外径が漸次拡大するテーパー状を成しており、先端部１２２が円筒状を成している。
【００１９】
かかる突出部１２の厚みは、固定部１１の厚みよりも大きく形成してある。このような突出部１２は、図４に示すように内視鏡用フード１０が内視鏡１の先端部２に装着された場合に、内視鏡１の先端３より突出するもので、内視鏡１の先端３と生体との距離を確保するためのものである。また、この突出部１２の先端には円形状の開口１２３が形成してあり、該開口１２３を通じて生体の観察が可能になる。
【００２０】
把持部１３は、固定部１１の基端に連続して形成された舌片状を成すものである。この把持部１３の厚みは、固定部１１の厚みよりも小さく形成してある。かかる把持部１３は、図４に示すように内視鏡用フード１０が内視鏡１の先端部２に装着された場合に、内視鏡１の外周面に接した状態で配置されるものである。
【００２１】
このような内視鏡用フード１０は、例えば合成樹脂材から形成された弾性を有するものであり、本実施の形態においては、造影下での観察もできるよう造影剤が添加された樹脂材から形成されたものである。造影剤としては、従来知られている種々のものでよく、その添加量も樹脂材の弾性力を損なわず、かつ造影効果を発揮できるものであれば特に限定されない。
【００２２】
上記内視鏡用フード１０は、上記構成の他に溝部１４及び切欠部１５が形成してある。溝部１４は、一端１４１が把持部１３の外表面、他端１４２が突出部１２の外表面に延在する態様で固定部１１の外表面に凹んだ形態で形成された螺旋状のものである。この溝部１４は、厚みが固定部１１、突出部１２及び把持部１３の各部の厚みよりも小さく形成してある。
【００２３】
切欠部１５は、固定部１１と把持部１３との境界部分であって、把持部１３の根元部位に形成してある。この切欠部１５は、固定部１１の略周方向に沿って延在し、その延在端部１５１は、溝部１４の一端１４１と、これに隣接する溝部１４との間に位置している。つまり、切欠部１５は、溝部１４の一端１４１と、該一端１４１に隣接する同一の溝部１４との間に延在する。
【００２４】
このような構成の内視鏡用フード１０は次のようにして内視鏡１の先端部２に装着される。図には明示していないが、専用の治具等により内視鏡用フード１０が拡径され、つまり固定部１１及び突出部１２が拡径され、拡径された内視鏡用フード１０の内部に内視鏡１の先端部２が相対的に進入され（例えば図３参照）、その後に内視鏡用フード１０を構成材料の復元力により縮径されて、図４に示すように内視鏡１の先端部２に装着される。
【００２５】
ここで最も肉薄となる溝部１４は、螺旋状に形成してあり、固定部１１の軸方向に沿って延在する部位が存在せず、内視鏡用フード１０が拡径（固定部１１及び突出部１２が拡径）された場合に裂かれてしまう虞れがない。
【００２６】
内視鏡１の先端部２に装着された内視鏡用フード１０は次のようにして内視鏡１から取り外される。図には明示していないが、把持部１３が利用者につままれて固定部１１の軸方向にめくりあげられるように引っ張られると、内視鏡用フード１０は、切欠部１５（の延在端部１５１）を基点として引き裂かれる。切欠部１５の延在端部１５１は、溝部１４の一端１４１と、これに隣接する同一の溝部１４との間に位置していることから、切欠部１５を基点とする引き裂きは、溝部１４のいずれかの個所に到達し、その後は溝部１４の延在方向に沿って引き裂かれ、固定部１１が破断される。
【００２７】
このような内視鏡用フード１０によれば、溝部１４が螺旋状に形成してあることにより、固定部１１及び突出部１２が拡径された場合に裂かれてしまう虞れがなく、内視鏡１への装着が容易になる。特に、径が十分に小さい細径の内視鏡１を装着対象とするフードでは、溝部１４の厚みがかなり小さなものとなるが、溝部１４が螺旋状に形成してあることにより拡径された場合の引き裂かれてしまう虞れがなく、かかる細径の内視鏡１への装着も容易になる。
【００２８】
また、切欠部１５が溝部１４の一端１４１と、該一端１４１に隣接する同一の溝部１４との間に延在するので、切欠部１５を基点とする引き裂きは、溝部１４のいずれかの個所に到達することになり、その後は溝部１４の延在方向に沿って引き裂かれて固定部１１が破断されるので、内視鏡用フード１０の取り外しが容易になる。このことは、細径の内視鏡１に装着された場合でも同じである。
【００２９】
従って、十分に小さい径を有する内視鏡１に対しても良好に装着することができ、しかも容易に取り外すことができる。
【００３０】
また上記内視鏡用フード１０によれば、把持部１３の厚みが固定部１１の厚みよりも小さく形成してあるので、内視鏡１に装着された場合に把持部１３が反り返ることを抑制することができる。これにより生体観察時に反り返る把持部１３により生体を傷つけてしまう虞れがない。
【００３１】
更に上記内視鏡用フード１０によれば、造影剤が添加された材料により形成されているため、造影下での観察をすることができる。
【００３２】
次にフード取付治具について説明する。図５及び図６は、それぞれ本発明の実施の形態であるフード取付治具を示すものであり、図５は斜視図、図６の（ａ）は正面図、図６の（ｂ）は（ａ）の側面図、図６の（ｃ）は（ｂ）のＡ−Ａ線断面図、図６の（ｄ）は（ａ）のＢ−Ｂ線断面図、図６の（ｅ）は（ａ）のＣ−Ｃ線断面図である。ここで例示するフード取付治具２０は、例えば合成樹脂材から成るものであり、操作部材２１、蓋部材２２、保持部材２３、拡径部材２４及び外筒部材２５を備えて構成してある。以下、本明細書においては、フード取付治具２０の正面側を前方、背面側を後方として説明する。
【００３３】
操作部材２１は、操作部２１１とフック部２１２とを備えている。操作部２１１は、円環状の形態を成している。フック部２１２はロッド状の形態を成し、操作部２１１の正面側部位において該操作部２１１の径外方向、すなわち正面側に向けて前後方向に沿って延在している。このフック部２１２は、操作部２１１に対して自身の中心軸を回転軸として回転可能に配設してある。またフック部２１２の前端部２１２１は、前方に向かうに連れて外径が漸次小さくなるテーパー状を成している。かかる前端部２１２１を含むフック部２１２の前方部位には、二股状に分岐した分岐部２１２２が形成してある。分岐部２１２２のそれぞれの内表面には前後方向に延在する凹み状の内側摺動溝２１２３（図８参照）が形成してある。
【００３４】
またフック部２１２の外表面における内側摺動溝２１２３の径外域には、前後方向に延在する凹み状の外側摺動溝２１２４（図８参照）が形成してある。外側摺動溝２１２４の前方側の延在端部はフック部２１２に形成された前方側係合孔２１２５（図８参照）に連通する一方、外側摺動溝２１２４の後方側の延在端部は、フック部２１２に形成された後方側係合孔２１２６（図８参照）に連通している。
【００３５】
蓋部材２２は、前後方向に沿って延在する円筒状を成しており、背面側が背面板２２１により閉塞された形態を成している。この背面板２２１は、その外周部分が蓋部材本体２２２の外周面よりも径外方向に突出している。この背面側には、その中心部に貫通孔２２３が形成してあり、かかる貫通孔２２３を操作部材２１のフック部２１２が貫通している。
【００３６】
保持部材２３は、略筒状のもので、支持部２３１及びツメ部２３２を備えている。支持部２３１は、保持部材２３の後方側において円筒状の形態を成すものである。この支持部２３１には、所々に切り欠きが形成してある。ツメ部２３２は、支持部２３１に連続し、軸方向に沿って延在する切り欠きが周方向に沿って所定間隔毎に形成されることにより、先端に向けて外径が漸次小さくなる複数（図示の例では４つ）のツメ２３２１が設けてある。このツメ部２３２は、径方向の大きさが自在に変更できる拡径自在なものである。
【００３７】
このような保持部材２３は、ツメ部２３２が縮径した状態で内視鏡用フード１０の内部に挿入して該内視鏡用フード１０を保持している。より詳細に説明すると、保持部材２３のツメ部２３２が専用器具にて縮径し、縮径した状態で内視鏡用フード１０の内部に挿入することにより該内視鏡用フード１０を保持する。その後専用器具を取り外される。
【００３８】
かかる保持部材２３の内部には、位置決め部材（押出部材）２６が互いの位置が規定された状態で進入している。ここで互いの位置関係について述べると、取付対象となる内視鏡先端部２に内視鏡用フード１０を取り付けた場合に、内視鏡１の先端３からの内視鏡用フード１０の突出量を所定の大きさに規定する位置関係である。位置決め部材２６は、保持部材２３よりも小径の円筒状を成しており、係合部２６１及び当接部２６２を備えている。
【００３９】
係合部２６１は、位置決め部材の後方側部位であり、切り欠きが形成されて二股状に分岐して成るものである。この係合部２６１のそれぞれの延在端部には、後方に突出する突片２６１１が形成してあり、それら突片２６１１の内面には、内方に突出する係合突起２６１２（図８参照）が形成してある。
【００４０】
当接部２６２は、軸方向に沿って延在する切り欠きが周方向に沿って所定間隔毎に形成されることにより複数（図示の例では４つ）の当接ツメ２６２１を有している。各当接ツメ２６２１の前端には内方に向けて延在する内延部が形成されることにより、位置決め端部２６２２が設けてある。また、当接部２６２は、径方向の大きさが自在に変更できる拡径自在なものである。
【００４１】
このような位置決め部材２６は、当接部２６２を構成する当接ツメ２６２１が保持部材２３のツメ部２３２を構成するツメ２３２１間にから外方に突出している。尚、この当接部２６２は、保持部材２３により保持される内視鏡用フード１０よりも後方側に位置している。
【００４２】
上記保持部材２３及び位置決め部材２６は、蓋部材２２の内部に前方側から進入し、更に位置決め部材２６が貫通孔２２３を貫通している。貫通孔２２３を貫通した位置決め部材２６の内部には、操作部材２１のフック部２１２が後方側から進入しており、位置決め部材２６の係合部２６１の係合突起２６１２が、フック部２１２の後方側係合孔２１２６に外方から進入して位置決め部材２６が操作部材２１に係合している。
【００４３】
拡径部材２４は、ピン部２４１と拡張部２４２とを備えている。ピン部２４１は、長尺状のものであり、その延在端部、すなわち後端部には、外方に突出する係止突起２４１１（図８参照）が各側面に形成してある。拡張部２４２は、ピン部２４１に連続し、かつ前方に向かうに連れて最大幅が漸次大きくなるものである。
【００４４】
このような拡径部材２４は、ピン部２４１が保持部材２３及び位置決め部材２６の内部、更に操作部材２１のフック部２１２の内部に前方から進入しており、係止突起２４１１がフック部２１２の内側摺動溝２１２３に進入している。これにより拡径部材２４は、操作部材２１に係止されている。また、拡径部材２４の拡張部２４２が保持部材２３に保持された内視鏡用フード１０が保持部材２３から離脱しないよう内視鏡用フード１０の前方側に配置してある。
【００４５】
外筒部材２５は、蓋部材２２の内径よりも僅かに小さい外径を有した円筒状を成しており、後端側の一部（以下、後端部２５１ともいう）だけを残して大部分の周壁部を取り除いて成るものである。このような外筒部材２５は、内部に保持部材２３、位置決め部材２６及び拡径部材２４が後方側から相対的に進入する態様で、蓋部材２２の内部に前方側から進入し、後端部２５１に形成された孔（図示せず）に蓋部材２２の突出片２２４が進入して蓋部材２２に係合している。
【００４６】
また、外筒部材２５の前端面にはガイド部材２５２が設けてある。ガイド部材２５２は、例えばスポンジ等のような弾性材料から形成されて成る円環状のものである。このガイド部は、中心部分にガイド孔２５２１が形成してある。このガイド孔２５２１は、内視鏡先端部２の外径よりも僅かに小さい径を有するものである。
【００４７】
以上のようなフード取付治具２０においては、操作部材２１（フック部２１２）、蓋部材２２、保持部材２３、位置決め部材２６、拡径部材２４及び外筒部材２５の中心軸は、同一直線上に位置するように各部材の位置が調整されている。
【００４８】
以上のような構成を有するフード取付治具２０は、次のようにして保持部材２３で保持する内視鏡用フード１０を内視鏡先端部２に取り付けることができる。
【００４９】
図７〜図１６は、それぞれ本発明の実施の形態であるフード取付治具２０による内視鏡用フード１０の取付手順を示すものである。これらの図を参照しながらフード取付治具２０による内視鏡用フード１０の取り付けを説明する。
【００５０】
図７及び図８に示すように、操作部材２１の操作部２１１が把持されて該操作部材２１が後方側に変位操作された場合、すなわち拡径操作された場合に、この操作部材２１のフック部２１２に係止された拡径部材２４は、操作部材２１とともに後方に向けてスライド移動する。ここで、図７及び図８は、フード取付治具２０を構成する操作部材２１が拡径操作された場合を示すものであり、図７は斜視図、図８の（ａ）は正面図、図８の（ｂ）は（ａ）の側面図、図８の（ｃ）は（ｂ）のＤ−Ｄ線断面図、図８の（ｄ）は（ａ）のＥ−Ｅ線断面図、図８の（ｅ）は（ａ）のＦ−Ｆ線断面図である。
【００５１】
この場合、フック部２１２に係合する位置決め部材２６は、係合突起２６１２が後方側係合孔２１２６から離脱し、外側摺動溝２１２４を摺動した後、前方側係合孔２１２５に進入する。つまり、位置決め部材２６及びこの位置決め部材２６と互いの位置関係が規定された保持部材２３は、スライド移動することなく当初位置を維持する。
【００５２】
従って、操作部材２１とともに後方に向けてスライド移動する拡径部材２４は、保持部材２３（位置決め部材２６）の内部に前方側から進入し、該拡径部材２４の拡張部２４２が保持部材２３の内部に進入する結果、保持部材２３は拡径される。これにより内視鏡用フード１０も拡径される（特に図８の（ｃ）参照）。このとき拡径部材２４（拡張部２４２）は、内視鏡用フード１０には接していない。
【００５３】
また、図８の（ｅ）において拡大して示すように、後方に向けてスライド移動した拡径部材２４のピン部２４１は、係止突起２４１１が蓋部材２２に設けられた係止片２２５に当接する結果、拡径部材２４が前方に向けて移動することが規制される。
【００５４】
その後、図９に示すようにフード取付治具２０の前方からフード取付治具２０の取り付け対象である内視鏡先端部２が近接し、図１０に示すように、近接した内視鏡先端部２はガイド孔２５２１を通過する。上述したように、ガイド孔２５２１の内径は、内視鏡先端部２の外径よりも僅かに小さく、しかもガイド孔２５２１を形成するガイド部材２５２は例えばスポンジ等の弾性部材から構成してある。
【００５５】
従って、内視鏡先端部２がガイド孔２５２１を通過する場合には、ガイド部材２５２の弾性変化によりガイド孔２５２１が拡径してガイド孔２５２１縁部が内視鏡先端部２の外周面に摺接する。
の図１１に示すようにガイド孔２５２１を通過した内視鏡先端部２は、拡径部材２４に拡径された保持部材２３の内部に前方から進入し、内視鏡１の先端３は、位置決め部材２６の当接ツメ２６２１の前端にある位置決め端部２６２２に当接して内視鏡１の進入移動は規制される（特に図１１の（ｃ）及び（ｄ）参照）。ここで、ガイド孔２５２１は、内視鏡１を保持部材２３の内部に案内する役割を有している。
【００５６】
図１２及び図１３に示すように、操作部材２１の操作部２１１が把持されて、該操作部材２１が前方に向けて変位操作された場合、すなわち拡径された保持部材２３の内部に内視鏡先端部２が進入した状態で取付操作された場合に、この操作部材２１のフック部２１２に係合する位置決め部材２６は、前方に向けてスライド移動する。この場合、位置決め部材２６は、自身と互いの位置関係が規定された保持部材２３、並びに位置決め端部２６２２に当接する内視鏡１を押し出して前方に向けてスライド移動させる。つまり、操作部材２１が取付操作された場合に、位置決め部材２６、保持部材２３（内視鏡用フード１０）及び内視鏡１が同時に前方に向けてスライド移動する（特に図１２の（ｃ）及び（ｄ）、並びに図１３の（ｃ）及び（ｄ）参照）。
【００５７】
ところで拡径部材２４は、上述したようにピン部２４１の係止突起２４１１が蓋部材２２の係止片２２５に当接されて前方に向けての移動が規制されており、これによりかかる係止突起２４１１は、操作部材２１の変位により、ピン部２４１の内側摺動溝２１２３を摺動する。
【００５８】
このように操作部材２１が取付操作されて、該操作部材２１に係合する位置決め部材２６が、保持部材２３（内視鏡用フード１０も含む）及び内視鏡１を押し出して前方に向けてスライド移動させると、図１４に示すように、保持部材２３のツメ部２３２は、拡径部材２４の拡張部２４２よりも前方側に移動し、この結果、ツメ部２３２は拡張部２４２による拡径状態から解放され、保持する内視鏡用フード１０の復元力により縮径する。
【００５９】
縮径した保持部材２３は内視鏡先端部２に接することになるが、保持する内視鏡用フード１０の一部（具体的には把持部１３や固定部１１の一部）が内視鏡先端部２の外周面に自身の復元力により接する。
【００６０】
図１５に示すように、位置決め部材２６に押し出されて内視鏡１とともに前方に向けてスライド移動する保持部材２３の一部が、外筒部材２５の後端部２５１の内面に形成された規制片２５１１に当接して、それ以上前方に向けてスライド移動することが規制される。つまり、この規制片２５１１は、押し出される保持部材２３の移動量を規制する規制部材である。
【００６１】
この結果、操作部材２１に係合する位置決め部材２６が内視鏡１を押し出すことになり、保持部材２３に保持されていた内視鏡用フード１０は、自身の復元力により基端側から内視鏡先端部２に圧着していくことになる。その後、図３に示したように内視鏡用フード１０が内視鏡先端部２の外周面を覆う態様で該先端部２に取り付けられ、該内視鏡用フード１０が取り付けられた内視鏡先端部２を位置決め部材２６が押し出す（特に図１５の（ｃ）及び（ｄ）参照）。
【００６２】
このように位置決め部材２６は、拡径された保持部材２３の内部に内視鏡先端部２が進入した状態で取付操作された場合に保持部材２３及び内視鏡１を押し出して拡径部材２４から離反させることにより、自身の復元力により保持部材２３を縮径させた内視鏡用フード１０を内視鏡先端部２の外周面に接触させ、更に内視鏡１を押し出して保持部材２３から離脱させることにより内視鏡先端部２に内視鏡用フード１０を取り付ける押し出し部材を構成している。
【００６３】
そして、図１６に示すように、先端部２に内視鏡用フード１０が取り付けられた内視鏡１からフード取付治具２０を離反させて、内視鏡用フード１０の取り付けが終了する。
【００６４】
以上説明したように、本実施の形態であるフード取付治具２０によれば、拡径自在な保持部材２３が内視鏡用フード１０の内部に挿入した状態で該内視鏡用フード１０を保持し、拡径部材２４が拡径操作された場合に保持部材２３の内部に進入して該保持部材２３を拡径させることにより、内視鏡用フード１０を拡径させ、位置決め部材２６が、拡径された保持部材２３の内部に内視鏡先端部２が進入した状態で取付操作された場合に保持部材２３及び内視鏡１を押し出して拡径部材２４から離反させることにより、自身の復元力により保持部材２３を縮径させた内視鏡用フード１０を内視鏡先端部２の外周面に接触させ、更に内視鏡１を押し出して保持部材２３から離脱させることにより内視鏡先端部２に内視鏡用フード１０を取り付けるので、通常時においては内視鏡用フード１０を自然な状態で保持しておくことが可能である。しかも取付時に内視鏡用フード１０を拡径させてその内部に内視鏡先端部２を相対的に挿入させ、その後自身の復元力により内視鏡用フード１０を縮径させて内視鏡先端部２に取り付けることができる。従って、通常時には内視鏡用フード１０を自然な状態で保持することが可能であり、かつ十分に小さい径を有する内視鏡先端部２に対しても内視鏡用フード１０を良好に取り付けることができる。
【００６５】
上記フード取付治具２０によれば、通常時は内視鏡用フード１０を自然な状態で保持し、取付時に拡径させるだけなので、内視鏡用フード１０が保存時に変形する虞れがなく、内視鏡用フード１０を長期保存することが可能になる。
【００６６】
また、上記フード取付治具２０によれば、位置決め部材２６が、拡径された保持部材２３の内部に進入した内視鏡先端部２と当接し、かつ保持部材２３に保持される内視鏡用フード１０が内視鏡先端部２に取り付けられた場合の該内視鏡先端部２からの突出量を規定する位置決め端部２６２２を備えているので、十分に高い精度で内視鏡用フード１０を内視鏡先端部２に良好に取り付けることができる。
【００６７】
更に、上記フード取付治具２０によれば、外筒部材２５に設けられたガイド部材２５２は、ガイド孔２５２１を通過する内視鏡１を拡径された保持部材２３の内部に案内する役割を有している。このガイド孔２５２１は、内視鏡先端部２の外径より僅かに小さい内径を有し、内視鏡１が通過する際に弾性変形して拡径して内視鏡１の外周面に摺接するので、内視鏡先端部２の外周面に付着する体液や潤滑剤等を拭き取ることができる。これにより、内視鏡先端部２に良好に内視鏡用フード１０を取り付けることができる。
【００６８】
以上、本発明の好適な実施の形態について説明したが、本発明はこれに限定されるものではなく、種々の変更を行うことができる。
【００６９】
上述した実施の形態では、切欠部１５の延在端部１５１が、溝部１４の一端１４１と、これに隣接する同一の溝部１４との間に位置していたが、本発明では、切欠部１５が互いに隣接する溝部１４間に延在していてもよい。これによっても切欠部１５を基点とする引き裂きは溝部１４のいずれかの個所に到達し、溝部１４の延在方向に引き裂かれて固定部１１が破断される。ここで、「互いに隣接する溝部１４間」とは、内視鏡用フード１０の外表面における所定領域において互いに隣接する溝部間をいう。
【００７０】
上述した実施の形態では、溝部１４を螺旋状に形成されたものとして説明しているが、本発明では溝部１４が全体として螺旋状に形成されていればよく、一部に略直線となる部分が存在していても構わない。特に内視鏡用フード１０を貼り合わせで作製する場合には、パーティング部における溝部１４は、型の製作のしやすさ、成型のしやすさを考慮すると、略直線状に形成されることが望ましい。
【００７１】
本発明のフード取付治具には、内視鏡先端部に内視鏡用フードが取付状態を判別するための判別機構を設けても良い。また、本発明のフード取付治具では、取付操作された場合の押出部材（位置決め部材）の押し出しを内蔵するバネの付勢力により行うようにしても良い。このようにバネの付勢力に行うことにより、位置決め部材の前方に向けてのスライド移動を一定の速度で行うことができ、内視鏡用フードの取り付けを良好に行うことができる。
【００７２】
（付記１）
内視鏡の先端部の外周面を覆う態様で円筒状の固定部が圧着固定されることにより、該固定部の先端に連続する突出部が前記内視鏡の先端から突出し、かつ前記固定部の基端に連続する舌片状の把持部が前記内視鏡の外周面に接した状態で、前記内視鏡の先端部に装着される内視鏡用フードは、
一端が前記把持部の外表面に延在する態様で前記固定部の外表面に螺旋状に形成された溝部と、
前記把持部と前記固定部との境界部分に形成され、かつ互いに隣接する溝部間に延在する切欠部と
を備えたことを特徴とする。
【００７３】
（付記２）
付記１に記載の内視鏡用フードは、前記切欠部は、前記溝部の一端と、該一端に隣接する同一の溝部との間に延在することを特徴とする。
【００７４】
（付記３）
付記１又は付記２に記載の内視鏡用フードは、前記把持部は、少なくとも前記固定部より厚みが小さく形成してあることを特徴とする。
【００７５】
（付記４）
付記１〜３のいずれか一つに記載の内視鏡用フードは、造影剤が添加された材料より形成されて成ることを特徴とする。
【符号の説明】
【００７６】
１  内視鏡
２  先端部
１０  内視鏡用フード
１１  固定部
１２  突出部
１３  把持部
１４  溝部
１４１  一端
１４２  他端
１５  切欠部
１５１  延在端部
２０  フード取付治具
２１  操作部材
２１１  操作部
２１２  フック部
２１２１  前端部
２１２２  分岐部
２１２３  内側摺動溝
２１２４  外側摺動溝
２１２５  前方側係合孔
２１２６  後方側係合孔
２２  蓋部材
２２１  背面板
２２３  貫通孔
２３  保持部材
２３１  支持部
２３２  ツメ部
２３２１  ツメ
２４  拡径部材
２４１  ピン部
２４１１  係止突起
２４２  拡張部
２５  外筒部材
２５１  後端部
２５１１  規制片
２５２  ガイド部材
２５２１  ガイド孔
２６  位置決め部材
２６１  係合部
２６１１  突片
２６１２  係合突起
２６２  当接部
２６２１  当接ツメ
２６２２  位置決め端部
【図１】
2010070984.tif 000003
【図２】
2010070984.tif 000004
【図３】
2010070984.tif 000005
【図４】
2010070984.tif 000006
【図５】
2010070984.tif 000007
【図６】
2010070984.tif 000008
【図７】
2010070984.tif 000009
【図８】
2010070984.tif 000010
【図９】
2010070984.tif 000011
【図１０】
2010070984.tif 000012
【図１１】
2010070984.tif 000013
【図１２】
2010070984.tif 000014
【図１３】
2010070984.tif 000015
【図１４】
2010070984.tif 000016
【図１５】
2010070984.tif 000017
【図１６】
2010070984.tif 000018
【国際調査報告】
2010070984.tif 000019
2010070984.tif 000020